(57)【要約】      （修正有）【課題】入替前の画像形成装置と入替後の画像形成装置の印字色や読取特性が同一又は同等であるかをユーザが確認できる情報処理装置、画像処理システム及びプログラムを提供する。【解決手段】情報処理装置１４０は、第１の画像形成装置１２０ａ及び第２の画像形成装置１２０ｂの印刷物の撮影画像、第１の画像形成装置及び第２の画像形成装置がスキャンして得られる原稿及びパッチ画像の読取画像、又は、第１の画像形成装置及び第２の画像形成装置の印刷物及び原稿の撮影画像並びに第１の画像形成装置及び第２の画像形成装置の印刷物及び原稿をスキャンして得られる読取画像を用いて、第１の画像形成装置及び第２の画像形成装置の印字色又は読取特性を判定する。【選択図】図１
2015176517.tif 000002
【特許請求の範囲】
【請求項１】
画像形成装置と通信可能な情報処理装置であって、
第１の画像形成装置及び第２の画像形成装置の印刷物の撮影画像、第１の画像形成装置及び第２の画像形成装置がスキャンして得られる原稿及びパッチ画像の読取画像、又は、第１の画像形成装置及び第２の画像形成装置の印刷物及び原稿の撮影画像並びに第１の画像形成装置及び第２の画像形成装置が前記印刷物及び原稿をスキャンして得られる読取画像が保存される記憶手段と、
前記撮影画像及び／又は読取画像を用いて、第１の画像形成装置及び第２の画像形成装置の印字色又は読取特性を判定する判定手段と
を備える情報処理装置。
【請求項２】
前記情報処理装置は、
前記撮影画像を使用して、第１の画像形成装置及び第２の画像形成装置の色再現域を算出する色再現域算出部をさらに備え、
前記判定手段は、
前記第１の画像形成装置及び第２の画像形成装置の色再現域を用いて、前記画像形成装置の印字色を判定する、請求項１に記載の情報処理装置。
【請求項３】
前記判定手段は、判定結果をユーザに通知することを特徴とする、請求項１又は２に記載の情報処理装置。
【請求項４】
画像形成装置と、携帯端末と、前記画像形成装置及び携帯端末と通信可能な情報処理装置とを含む画像処理システムであって、
前記携帯端末は、
第１の画像形成装置及び第２の画像形成装置の印刷物又は原稿を撮影して撮影画像を前記情報処理装置に送信し、
前記第１の画像形成装置及び第２の画像形成装置は、
原稿及びパッチ画像をスキャンして得られる読取画像、又は、前記印刷物及び原稿をスキャンして得られる読取画像を前記情報処理装置に送信し、
前記情報処理装置は、
前記撮影画像及び／又は読取画像を用いて、第１の画像形成装置及び第２の画像形成装置の印字色又は読取特性を判定する判定手段と
を備える画像処理システム。
【請求項５】
前記情報処理装置は、
前記撮影画像を使用して、第１の画像形成装置及び第２の画像形成装置の色再現域を算出する色再現域算出部をさらに備え、
前記判定手段は、
前記第１の画像形成装置及び第２の画像形成装置の色再現域を用いて、前記画像形成装置の印字色を判定する、請求項４に記載の画像処理システム。
【請求項６】
前記判定手段は、判定結果をユーザに通知することを特徴とする、請求項４又は５に記載の画像処理システム。
【請求項７】
画像形成装置と通信可能な情報処理装置が実行するプログラムであって、
前記プログラムは、前記情報処理装置に対し、
第１の画像形成装置及び第２の画像形成装置の印刷物の撮影画像、第１の画像形成装置及び第２の画像形成装置がスキャンして得られる原稿及びパッチ画像の読取画像、又は、第１の画像形成装置及び第２の画像形成装置の印刷物及び原稿の撮影画像並びに第１の画像形成装置及び第２の画像形成装置が前記印刷物及び原稿をスキャンして得られる読取画像を保存するステップと、
前記撮影画像及び／又は読取画像を用いて、第１の画像形成装置及び第２の画像形成装置の印字色又は読取特性を判定するステップと
を実行させるためのプログラム。
【請求項８】
前記プログラムは、前記情報処理装置に対し、
前記撮影画像を使用して、第１の画像形成装置及び第２の画像形成装置の色再現域を算出するステップをさらに実行させ、
前記判定するステップは、
前記第１の画像形成装置及び第２の画像形成装置の色再現域を用いて、前記画像形成装置の印字色を判定するステップを含む、請求項７に記載のプログラム。
【請求項９】
前記プログラムは、前記情報処理装置に対し、判定結果をユーザに通知するステップをさらに実行させる、請求項７又は８に記載のプログラム。
【発明の詳細な説明】
【技術分野】
【０００１】
本発明は、画像形成装置を比較判定する情報処理装置に関し、特に、画像形成装置の印刷物の印字色や読取特性を比較判定する情報処理装置、画像処理システム及びプログラムに関する。
【背景技術】
【０００２】
従来、ネットワークに接続された画像形成装置を用いて、種々の画像データを印刷するネットワークプリントが利用されている。
【０００３】
このようなネットワークプリントの一例として、特許文献１は、インターネットやＬＡＮ等のネットワークを介して画像処理装置から印刷対象画像をプリンタに提供して印刷する画像処理システムを開示する。この画像処理システムでは、印刷対象画像と類似する画像が既に印刷されている場合、その印刷条件パラメータをユーザに提示することにより、印刷条件の設定を容易にする。
【０００４】
しかしながら、特許文献１が開示する画像処理システムでは、印刷条件の設定を容易にするものの、ネットワークに接続されている既存の画像形成装置を他の画像形成装置に入れ替えた場合に、入替前の画像形成装置と入替後の画像形成装置の印刷物の印字色や読取特性が同一又は同等であるかをユーザが確認できないという問題があった。
【発明の概要】
【発明が解決しようとする課題】
【０００５】
本発明は、上述した従来技術の問題点に鑑みてなされたものであり、入替前の画像形成装置と入替後の画像形成装置の印字色や読取特性が同一又は同等であるかをユーザが確認できる情報処理装置、画像処理システム及びプログラムを提供することを目的とする。
【課題を解決するための手段】
【０００６】
本発明の情報処理装置は、第１の画像形成装置及び第２の画像形成装置の印刷物の撮影画像、第１の画像形成装置及び第２の画像形成装置がスキャンして得られる原稿及びパッチ画像の読取画像、又は、第１の画像形成装置及び第２の画像形成装置の印刷物及び原稿の撮影画像並びに第１の画像形成装置及び第２の画像形成装置が印刷物及び原稿をスキャンして得られる読取画像を用いて、第１の画像形成装置及び第２の画像形成装置の印字色又は読取特性を判定する。
【発明の効果】
【０００７】
本発明は、上記手段を採用することにより、入替前の画像形成装置と入替後の画像形成装置の印字色や読取特性が同一又は同等であるかをユーザが確認できる。
【図面の簡単な説明】
【０００８】
【図１】本発明の画像処理システムの一実施形態を示す図。
【図２】サーバ１４０のハードウェア構成を示す図。
【図３】図１に係る実施形態のサーバ１４０の機能構成を示す図。
【図４】画像処理システム１００が実行する処理の一実施形態を示すシーケンス図。
【図５】画像処理システム１００が実行する処理の別の実施形態を示すシーケンス図。
【図６】画像処理システム１００が実行する処理の他の実施形態を示すシーケンス図。
【図７】サーバ１４０が実行する処理の一実施形態を示すフローチャート。
【図８】サーバ１４０が実行するプリンタの判定処理の一実施形態を示すフローチャート。
【図９】サーバ１４０が実行する色再現域の算出処理の一実施形態を示すフローチャート。
【図１０】サーバ１４０が実行するスキャナの判定処理の一実施形態を示すフローチャート。
【図１１】サーバ１４０が実行する複合機の判定処理の一実施形態を示すフローチャート。
【図１２】比較対象の画像形成装置が同一機種の複合機であり、原稿の読取画像が存在する場合にサーバ１４０が実行する画像形成装置の判定処理の一実施形態を示すフローチャート。
【図１３】図１２に示す画像形成装置の判定処理を示すフローチャート。
【図１４】比較対象の画像形成装置が同一機種の複合機であり、原稿の読取画像が存在しない場合にサーバ１４０が実行する画像形成装置の判定処理の一実施形態を示すフローチャート。
【図１５】図１４に示す画像形成装置の判定処理を示すフローチャート。
【図１６】比較対象の画像形成装置である複合機の機種が異なる場合にサーバ１４０が実行する画像形成装置の判定処理の一実施形態を示すフローチャート。
【図１７】図１６に示す画像形成装置の判定処理を示すフローチャート。
【発明を実施するための形態】
【０００９】
以下、本発明の実施形態について説明するが、本発明は後述する実施形態に限定されるものではない。図１は、本発明の画像処理システムの一実施形態を示す図であり、画像形成装置１２０ａを画像形成装置１２０ｂに入れ替える前の状態を示している。
【００１０】
画像処理システム１００は、画像形成装置１２０ａと、携帯端末１２２と、サーバ１４０とを含んで構成される。画像形成装置１２０ａ、携帯端末１２２及びサーバ１４０は、ＬＡＮ等の狭域ネットワークであるネットワーク１１０と、インターネット等の広域ネットワークであるネットワーク１３０を介してデータ通信を行う。
【００１１】
画像形成装置１２０ａ，１２０ｂは、種々の画像を形成する装置である。画像形成装置１２０ａ，１２０ｂとしてＭＦＰを採用する実施形態では、画像形成装置１２０ａ，１２０ｂは、サーバ１４０や携帯端末１２２が提供する印刷対象画像を印刷する。また。画像形成装置１２０ａ，１２０ｂは、記憶装置に保存されている黄色（Ｙ）、マゼンダ（Ｍ）、シアン（Ｃ）及び黒（Ｋ）の単色パッチを含むパッチ画像を印刷する。さらに、画像形成装置１２０ａ，１２０ｂは、印刷出力した印刷対象画像の印刷物やパッチ画像の印刷物、任意の原稿をスキャンし、サーバ１４０に送信する。
【００１２】
画像形成装置１２０ａ，１２０ｂとしてプリンタを採用する実施形態では、画像形成装置１２０ａ，１２０ｂは、サーバ１４０や携帯端末１２２が提供する印刷対象画像を印刷する。また。画像形成装置１２０ａ，１２０ｂは、記憶装置に保存されているパッチ画像を印刷する。
【００１３】
画像形成装置１２０ａ，１２０ｂとしてスキャナを採用する実施形態では、画像形成装置１２０ａ，１２０ｂは、パッチ画像の印刷物や任意の原稿をスキャンし、読取画像をサーバ１４０に送信して保存させる。
【００１４】
携帯端末１２２は、撮影装置を備えた情報処理装置である。携帯端末１２２は、ネットワーク１１０に接続されたアクセスポイント（図示せず）を介して、サーバ１４０とデータ通信を行う。携帯端末１２２として、スマートフォンやタブレット型ＰＣ、ノート型ＰＣ等の種々の情報処理装置を採用することができる。
【００１５】
携帯端末１２２は、画像形成装置１２０ａ，１２０ｂが印刷した印刷物や原稿を撮影し、撮影画像をサーバ１４０に送信して保存させる。また、携帯端末１２２は、ユーザの指示により、画像形成装置１２０ａ，１２０ｂの印字色や読取特性の判定をサーバ１４０に要求し、その判定結果を携帯端末１２２の表示装置に表示する。
【００１６】
サーバ１４０は、画像形成装置１２０ａ，１２０ｂの印字色や読取特性を判定する情報処理装置である。サーバ１４０は、携帯端末１２２から画像形成装置１２０ａ，１２０ｂの印字色や読取特性の判定要求を受信すると、画像形成装置１２０ａ，１２０ｂから受信した読取画像及び携帯端末１２２から受信した撮影画像を用いて、画像形成装置１２０ａ，１２０ｂの印字色や読取特性の判定し、判定結果を携帯端末１２２に送信する。
【００１７】
図２は、サーバ１４０のハードウェア構成を示す図である。以下、図２を参照して、サーバ１４０のハードウェア構成について説明する。
【００１８】
サーバ１４０は、ＣＰＵ２００と、ＲＯＭ２０１と、ＲＡＭ２０２と、ＨＤＤ２０３と、ネットワークインタフェース（Ｉ／Ｆ）２０４とを含んで構成される。
【００１９】
ＣＰＵ２００は、サーバ１４０の動作を制御するプロセッサである。ＲＯＭ２０１は、種々のデータが記憶される不揮発性の記憶装置である。ＲＡＭ２０２は、サーバ１４０が実行する種々のプログラムの実行空間を提供する揮発性の記憶装置である。ネットワークＩ／Ｆ２０４は、ネットワーク１１０，１３０を介した通信を可能にする物理インタフェースである。ＨＤＤ２０３は、本発明のプログラムなどの種々のデータを持続的に保存可能な記憶装置である。ＣＰＵ２００は、種々のＯＳの管理下で、ＨＤＤ２０３から本発明のプログラムを読み出し、ＲＡＭ２０２に展開して実行することにより、後述する機能をサーバ１４０上に実現する。
【００２０】
ＨＤＤ２０３には、色材の識別情報、色材の種類情報及び色再現域情報が関連付けて登録される。色材の識別情報は、既知の画像形成装置１２０ａ，１２０ｂが使用する色材の識別情報である。色材の種類情報は、当該画像形成装置１２０ａ，１２０ｂが使用する色材の種類（例えば、インクやトナー等）を示す情報である。色再現域情報は、当該画像形成装置１２０ａ，１２０ｂの色再現域を示す情報である。
【００２１】
図３は、図１に係る実施形態のサーバ１４０の機能構成を示す図である。以下、図３を参照して、サーバ１４０が有する機能について説明する。
【００２２】
サーバ１４０は、通信制御部３００と、記憶制御部３０１と、記憶部３０２と、判定部３０３と、色再現域算出部３０４と、調整値算出部３０５とを含む。
【００２３】
通信制御部３００は、画像形成装置１２０ａ，１２０ｂ及び携帯端末１２２との通信を制御する手段である。記憶制御部３０１は、サーバ１４０のＨＤＤ２０３やＲＯＭ２０１、ＲＡＭ２０２で構成される記憶部３０２を制御する手段である。
【００２４】
通信制御部３００は、画像形成装置１２０ａ，１２０ｂ及び携帯端末１２２から読取画像や撮影画像を受信すると、その旨を記憶制御部３０１に通知する。記憶制御部３０１は、これらの画像を記憶部３０２に保存する。
【００２５】
判定部３０３は、色再現域算出部３０４及び調整値算出部３０５を用いて、画像形成装置１２０ａ，１２０ｂの印字色や読取特性を判定する手段である。色再現域算出部３０４は、画像形成装置１２０ａ，１２０ｂの色再現域を算出する手段である。調整値算出部３０５は、画像形成装置１２０ａ，１２０ｂの印字色や読取特性を同一にする調整値を算出する手段である。
【００２６】
図４は、画像処理システム１００が実行する処理の一実施形態を示すシーケンス図である。以下、図４を参照して、プリンタである画像形成装置１２０ａを、同じくプリンタである画像形成装置１２０ｂに入れ替え、これらの画像形成装置の印字色の差異を判定する処理について説明する。
【００２７】
まず、画像形成装置１２０ａを入れ替える前に、入替対象の画像形成装置１２０ａが、サーバ１４０から印刷対象画像をダウンロードし、当該印刷対象画像を印刷して印刷物を出力する。次に、画像形成装置１２０ａは、黄色（Ｙ）、マゼンダ（Ｍ）、シアン（Ｃ）及び黒（Ｋ）の単色パッチを含むパッチ画像を印刷して印刷物を出力する。そして、画像形成装置１２０ａは、画像形成装置１２０ａの識別情報と、印刷対象画像を印刷した際の印刷設定情報と、画像形成装置１２０ａが使用する色材の識別情報及び色材の種類情報とをサーバ１４０に送信する。
【００２８】
一方、携帯端末１２２は、画像形成装置１２０ａが印刷出力した印刷物を撮影して撮影画像を生成し、当該撮影画像及び画像形成装置１２０ａの識別情報をサーバ１４０に送信する。このとき、携帯端末１２２は、印刷対象画像の撮影画像又はパッチ画像の撮影画像である旨を示す撮影画像の識別情報を当該撮影画像に付加して送信する。
【００２９】
サーバ１４０は、携帯端末１２２から撮影画像及び画像形成装置１２０ａの識別情報を受信すると、当該撮影画像及び画像形成装置１２０ａの識別情報を関連付けて記憶部３０２に保存する。また、サーバ１４０は、画像形成装置１２０ａから画像形成装置１２０ａの識別情報、印刷設定情報並びに色材の識別情報及び色材の種類情報を受信すると、これらの情報を関連付けて記憶部３０２に保存する。
【００３０】
ここで、ユーザが画像形成装置１２０ａを画像形成装置１２０ｂに入れ替える。画像形成装置の入れ替えが完了すると、画像形成装置１２０ｂは、画像形成装置１２０ａが使用した印刷対象画像と同一の画像をサーバ１４０からダウンロードし、当該画像を印刷して印刷物を出力する。
【００３１】
次に、画像形成装置１２０ｂは、画像形成装置１２０ａが使用したパッチ画像と同一のパッチ画像を印刷して印刷物を出力する。そして、画像形成装置１２０ｂは、画像形成装置１２０ｂの識別情報と、印刷対象画像を印刷した際の印刷設定情報と、画像形成装置１２０ｂが使用する色材の識別情報及び色材の種類情報とを読取画像をサーバ１４０に送信する。
【００３２】
一方、携帯端末１２２は、画像形成装置１２０ｂが印刷出力した印刷物を撮影して撮影画像を生成し、当該撮影画像及び画像形成装置１２０ｂの識別情報をサーバ１４０に送信する。このとき、携帯端末１２２は、印刷対象画像の撮影画像又はパッチ画像の撮影画像である旨を示す撮影画像の識別情報を当該撮影画像に付加して送信する。
【００３３】
サーバ１４０は、携帯端末１２２から撮影画像及び画像形成装置１２０ｂの識別情報を受信すると、当該撮影画像及び画像形成装置１２０ｂの識別情報を関連付けて記憶部３０２に保存する。また、サーバ１４０は、画像形成装置１２０ｂから画像形成装置１２０ｂの識別情報、印刷設定情報並びに色材の識別情報及び色材の種類情報を受信すると、これらの情報を関連付けて記憶部３０２に保存する。
【００３４】
そして、ユーザが比較対象の画像形成装置１２０ａ，１２０ｂを指定し、これらの画像形成装置の判定を携帯端末１２２に指示すると、携帯端末１２２は、画像形成装置１２０ａ，１２０ｂの判定要求と共に、画像形成装置１２０ａ，１２０ｂの識別情報と、画像形成装置１２０ａ，１２０ｂの種類を示す情報（本実施形態では、画像形成装置がプリンタである旨を示す情報）とをサーバ１４０に送信する。
【００３５】
サーバ１４０は、携帯端末１２２から画像形成装置１２０ａ，１２０ｂの判定要求を受信すると、画像形成装置１２０ａ，１２０ｂの識別情報に関連付けられている撮影画像を用いて、画像形成装置１２０ａ，１２０ｂの印字色の差異を判定し、判定結果を携帯端末１２２に送信する。携帯端末１２２は、サーバ１４０から判定結果を受信すると、判定結果を携帯端末１２２の表示装置に表示する。
【００３６】
図４に示す実施形態では、画像形成装置１２０ａ，１２０ｂが、印刷設定情報、色材の識別情報及び色材の種類情報をサーバ１４０に送信するが、他の実施形態では、携帯端末１２２が、これらの情報を撮影画像と共に送信してもよい。また、携帯端末１２２の代わりに、画像形成装置１２０ｂが、画像形成装置１２０ａ，１２０ｂの判定要求を送信し、判定結果を表示してもよい。
【００３７】
図５は、画像処理システム１００が実行する処理の別の実施形態を示すシーケンス図である。以下、図５を参照して、スキャナである画像形成装置１２０ａを、同じくスキャナである画像形成装置１２０ｂに入れ替え、これらの画像形成装置の読取特性の差異を判定する処理について説明する。
【００３８】
まず、画像形成装置１２０ａを入れ替える前に、入替対象の画像形成装置１２０ａが、任意の原稿及びパッチ画像をスキャンして読取画像を生成し、画像形成装置１２０ａの識別情報と、画像形成装置１２０ａの読取素子の分光感度や光源の分光強度を示す情報である読取特性情報と共に、読取画像をサーバ１４０に送信する。このとき、画像形成装置１２０ａは、原稿の読取画像、又はパッチ画像の読取画像である旨を示す読取画像の識別情報を当該読取画像に付加して送信する。
【００３９】
サーバ１４０は、画像形成装置１２０ａから読取画像、画像形成装置１２０ａの識別情報及び読取特性情報を受信すると、これらの情報を関連付けて記憶部３０２に保存する。
【００４０】
ここで、図５に示す実施形態では、ユーザが画像形成装置１２０ａを画像形成装置１２０ｂに入れ替える。画像形成装置の入れ替えが完了すると、画像形成装置１２０ｂが、画像形成装置１２０ａがスキャンした同一の原稿及びパッチ画像をスキャンして読取画像を生成し、画像形成装置１２０ｂの識別情報と、画像形成装置１２０ｂの読取特性情報と共に、読取画像をサーバ１４０に送信する。このとき、画像形成装置１２０ｂは、原稿の読取画像、又はパッチ画像の読取画像である旨を示す読取画像の識別情報を当該読取画像に付加して送信する。
【００４１】
サーバ１４０は、画像形成装置１２０ｂから読取画像、画像形成装置１２０ｂの識別情報及び読取特性情報を受信すると、これらの情報を関連付けて記憶部３０２に保存する。
【００４２】
そして、ユーザが比較対象の画像形成装置１２０ａ，１２０ｂを指定し、これらの画像形成装置の判定を携帯端末１２２に指示すると、携帯端末１２２は、画像形成装置１２０ａ，１２０ｂの判定要求と共に、画像形成装置１２０ａ，１２０ｂの識別情報及び画像形成装置１２０ａ，１２０ｂの種類を示す情報（本実施形態では、画像形成装置１２０ａ，１２０ｂがスキャナである旨を示す情報）をサーバ１４０に送信する。
【００４３】
サーバ１４０は、携帯端末１２２から画像形成装置１２０ａ，１２０ｂの判定要求を受信すると、画像形成装置１２０ａ，１２０ｂの識別情報に関連付けられている読取画像を用いて、画像形成装置１２０ａ，１２０ｂの読取特性の差異を判定し、判定結果を携帯端末１２２に送信する。携帯端末１２２は、サーバ１４０から判定結果を受信すると、判定結果を携帯端末１２２の表示装置に表示する。
【００４４】
図６は、画像処理システム１００が実行する処理の他の実施形態を示すシーケンス図である。以下、図６を参照して、複合機である画像形成装置１２０ａを、同じく複合機である画像形成装置１２０ｂに入れ替え、これらの画像形成装置の印字色や読取特性の差異を判定する処理について説明する。
【００４５】
まず、入替対象の画像形成装置１２０ａが、サーバ１４０から印刷対象画像をダウンロードし、当該印刷対象画像を印刷して印刷物を出力する。次に、画像形成装置１２０ａは、パッチ画像を印刷して印刷物を出力し、これらの印刷物と、原稿とをスキャンして読取画像を生成する。そして、画像形成装置１２０ａは、読取画像と、画像形成装置１２０ａの識別情報と、印刷対象画像を印刷した際の印刷設定情報と、画像形成装置１２０ａが使用する色材の識別情報及び色材の種類情報とをサーバ１４０に送信する。このとき、画像形成装置１２０ａは、印刷対象画像の読取画像、パッチ画像の読取画像、又は原稿の読取画像である旨を示す読取画像の識別情報を読取画像に付加して送信する。
【００４６】
一方、携帯端末１２２は、画像形成装置１２０ａが生成した印刷物と、画像形成装置１２０ａがスキャンした原稿とを撮影して撮影画像を生成し、当該撮影画像及び画像形成装置１２０ａの識別情報をサーバ１４０に送信する。
【００４７】
サーバ１４０は、携帯端末１２２から撮影画像及び画像形成装置１２０ａの識別情報を受信すると、当該撮影画像及び画像形成装置１２０ａの識別情報を関連付けて記憶部３０２に保存する。また、サーバ１４０は、画像形成装置１２０ａから読取画像、画像形成装置１２０ａの識別情報、印刷設定情報並びに色材の識別情報及び色材の種類情報を受信すると、これらの情報を関連付けて記憶部３０２に保存する。
【００４８】
ここで、図６に示す実施形態では、ユーザが画像形成装置１２０ａを画像形成装置１２０ｂに入れ替える。画像形成装置の入れ替えが完了すると、画像形成装置１２０ｂが、画像形成装置１２０ａが使用した印刷対象画像と同一の印刷対象画像をサーバ１４０からダウンロードし、当該印刷対象画像を印刷して印刷物を出力する。
【００４９】
次に、画像形成装置１２０ｂは、画像形成装置１２０ａが使用したパッチ画像と同一のパッチ画像を印刷して印刷物を出力し、これらの印刷物と、画像形成装置１２０ａがスキャンした原稿をスキャンして読取画像を生成する。画像形成装置１２０ｂは、読取画像と、画像形成装置１２０ｂの識別情報と、印刷対象画像を印刷した際の印刷設定情報と、画像形成装置１２０ｂが使用する色材の識別情報及び色材の種類情報とをサーバ１４０に送信する。このとき、画像形成装置１２０ｂは、印刷対象画像の読取画像、パッチ画像の読取画像、又は原稿の読取画像である旨を示す読取画像の識別情報を読取画像に付加して送信する。
【００５０】
一方、携帯端末１２２は、画像形成装置１２０ｂが生成した印刷物と、画像形成装置１２０ａがスキャンした原稿を撮影して撮影画像を生成し、当該撮影画像及び画像形成装置１２０ｂの識別情報をサーバ１４０に送信する。
【００５１】
サーバ１４０は、携帯端末１２２から撮影画像及び画像形成装置１２０ｂの識別情報を受信すると、当該撮影画像及び画像形成装置１２０ｂの識別情報を関連付けて記憶部３０２に保存する。また、サーバ１４０は、画像形成装置１２０ｂから読取画像、画像形成装置１２０ｂの識別情報、印刷設定情報並びに色材の識別情報及び色材の種類情報を受信すると、これらの情報を関連付けて記憶部３０２に保存する。
【００５２】
そして、ユーザが比較対象の画像形成装置１２０ａ，１２０ｂを指定し、これらの画像形成装置の判定を携帯端末１２２に指示すると、携帯端末１２２は、画像形成装置１２０ａ，１２０ｂの判定要求と共に、画像形成装置１２０ａ，１２０ｂの識別情報及び画像形成装置１２０ａ，１２０ｂの種類を示す情報（本実施形態では、画像形成装置１２０ａ，１２０ｂが複合機である旨を示す情報）をサーバ１４０に送信する。
【００５３】
サーバ１４０は、携帯端末１２２から画像形成装置１２０ａ，１２０ｂの判定要求を受信すると、画像形成装置１２０ａ，１２０ｂの識別情報に関連付けられている読取画像及び撮影画像を用いて、画像形成装置１２０ａ，１２０ｂの印字色や読取特性の差異を判定し、判定結果を携帯端末１２２に送信する。携帯端末１２２は、サーバ１４０から判定結果を受信すると、判定結果を携帯端末１２２の表示装置に表示する。
【００５４】
図７は、サーバ１４０が実行する処理の一実施形態を示すフローチャートである。以下、図７を参照して、携帯端末１２２から画像形成装置１２０ａ，１２０ｂの判定要求を受信した場合に、サーバ１４０が実行する処理について説明する。
【００５５】
図７に示す処理は、ステップＳ７００から開始し、ステップＳ７０１でサーバ１４０の判定部３０３が、判定要求と共に受信した画像形成装置１２０ａ，１２０ｂの種類を示す情報を用いて、比較対象の画像形成装置１２０ａ，１２０ｂの種類を判断し、画像形成装置１２０ａ，１２０ｂの種類に応じて処理を分岐させる。
【００５６】
具体的には、画像形成装置１２０ａ，１２０ｂの種類がプリンタである場合は、ステップＳ７０２で判定部３０３が、図８に示すプリンタの印字色の差異を判定する判定処理を実行し、ステップＳ７０５で処理が終了する。
【００５７】
画像形成装置１２０ａ，１２０ｂの種類がスキャナである場合は、ステップＳ７０３で判定部３０３が、図１０に示すスキャナの読取特性の差異を判定する判定処理を実行し、ステップＳ７０５で処理が終了する。
【００５８】
画像形成装置１２０ａ，１２０ｂの種類が複合機である場合は、ステップＳ７０４で判定部３０３が、図１１に示す複合機の印字色及び読取特性の差異を判定する判定処理を実行し、ステップＳ７０５で処理が終了する。
【００５９】
図８は、サーバ１４０が実行するプリンタの判定処理の一実施形態を示すフローチャートである。図８に示す処理は、ステップＳ８００から開始し、ステップＳ８０１で判定部３０３が、判定要求と共に受信した画像形成装置１２０ａ，１２０ｂの識別情報に関連付けられている色材の種類情報、すなわち、画像形成装置１２０ａ，１２０ｂの色材の種類情報を記憶部３０２から取得し、画像形成装置１２０ａ，１２０ｂが使用する色材の種類が同じであるか否か判断する。色材が異なる場合は（ｎｏ）、ステップＳ８０２に処理が分岐する。
【００６０】
ステップＳ８０２では、判定部３０３は、画像形成装置１２０ａ，１２０ｂの識別情報に関連付けられている撮影画像を記憶部３０２から取得し、これらの撮影画像を構成する各画素の色（ＲＧＢ値）を比較し、各画素の画素値の差が所定の閾値以下であるか否か判断する。所定の閾値は、人が知覚できない程度の微差とすることが好適である。
【００６１】
画像形成装置１２０ａ，１２０ｂの色材の識別情報が記憶部３０２に登録されている実施形態では、判定部３０３は、印刷対象画像の印刷物の撮影画像を比較する。一方、画像形成装置１２０ａ，１２０ｂの色材の識別情報が記憶部３０２に登録されていない実施形態では、判定部３０３は、パッチ画像の撮影画像を比較する。
【００６２】
各画素の画素値の差が所定の閾値以下である場合は（ｙｅｓ）、ステップＳ８０３に処理が分岐する。ステップＳ８０３では、判定部３０３は、画像形成装置１２０ａ，１２０ｂの印字色が同一又は同等である旨を示す判定結果を送信し、ステップＳ８１５で処理が終了する。
【００６３】
一方、各画素の画素値の差が所定の閾値よりも大きい場合は（ｎｏ）、ステップＳ８０４に処理が分岐する。ステップＳ８０４では、色再現域算出部３０４は、比較対象の画像形成装置１２０ａ，１２０ｂそれぞれについて、図９に示す色再現域の算出処理を実行する。
【００６４】
ステップＳ８０５では、判定部３０３は、入替前の画像形成装置１２０ａが出力した印刷物の撮影画像を構成する画素の総ての色が、入替後の画像形成装置１２０ｂの色再現域内の色であるか否か判断する。入替前の画像形成装置１２０ａの印刷物の撮影画像の総ての色が入替後の画像形成装置１２０ｂの色再現域内である場合（ｙｅｓ）、すなわち、入替前の画像形成装置１２０ａが表現可能な色を入替後の画像形成装置１２０ｂで表現できる場合は、ステップＳ８０６に処理が分岐する。
【００６５】
ステップＳ８０６では、調整値算出部３０５が、入替前後の画像形成装置１２０ａ，１２０ｂの色再現域を使用して、入替後の画像形成装置１２０ｂの印字色を入替前の画像形成装置１２０ａの印字色と同一にする調整値を算出する。ステップＳ８０７では、判定部３０３は、画像形成装置１２０ｂの調整が必要な旨を示す判定結果と共に、ステップＳ８０６で算出した調整値を携帯端末１２２に送信し、ステップＳ８１５で処理が終了する。
【００６６】
一方、ステップＳ８０５で入替前の画像形成装置１２０ａの印刷物の撮影画像のいずれかの色が入替後の画像形成装置１２０ｂの色再現域外にあると判断した場合（ｎｏ）、すなわち、入替前の画像形成装置１２０ａが表現可能な色を入替後の画像形成装置１２０ｂで表現できない場合は、ステップＳ８０８に処理が分岐する。ステップＳ８０８では、判定部３０３は、画像形成装置１２０ｂの調整が不可能な旨を示す判定結果を携帯端末１２２に送信し、ステップＳ８１５で処理が終了する。
【００６７】
一方、ステップＳ８０１で判定部３０３が、画像形成装置１２０ａ，１２０ｂの使用する色材の種類が同じであると判断した場合（ｙｅｓ）は、ステップＳ８０９に処理が分岐する。ステップＳ８０９では、判定部３０３は、画像形成装置１２０ａ，１２０ｂの識別情報に関連付けられているパッチ画像の撮影画像を記憶部３０２から取得し、これらの撮影画像を構成する各画素の明度や輝度を示す値を比較し、各画素の当該値の差が所定の閾値以下であるか否か判断する。所定の閾値は、人が知覚できない程度の微差とすることが好適である。
【００６８】
他の実施形態では、判定部３０３は、画像形成装置１２０ａ，１２０ｂの識別情報に関連付けられている印刷対象画像の印刷物の撮影画像を記憶部３０２から取得し、これらの撮影画像を構成する各画素の色（ＲＧＢ値）を比較し、各画素の画素値の差が所定の閾値以下であるか否か判断してもよい。
【００６９】
各画素の当該値の差が所定の閾値以下である場合は（ｙｅｓ）、ステップＳ８０３に処理が分岐する。ステップＳ８０３では、判定部３０３は、画像形成装置１２０ａ，１２０ｂの印字色が同一又は同等である旨を示す判定結果を送信し、ステップＳ８１５で処理が終了する。
【００７０】
一方、各画素の当該値の差が所定の閾値よりも大きい場合は（ｎｏ）、ステップＳ８１０に処理が分岐する。ステップＳ８１０では、色再現域算出部３０４は、比較対象の画像形成装置１２０ａ，１２０ｂそれぞれについて、図９に示す色再現域の算出処理を実行する。
【００７１】
ステップＳ８１１では、判定部３０３は、入替前の画像形成装置１２０ａ及び入替後の画像形成装置１２０ｂの印字色の彩度及び濃度の差異を算出し、印字色の彩度及び濃度の差異が大きい否か判断する。具体的には、入替後の印字色の彩度が入替前と比較して過度に低い、又は高い場合や、入替後の印字色の濃度が入替前と比較して過度に低い、又は高い場合は、判定部３０３は、画像形成装置１２０ａ，１２０ｂの印字色の彩度、又は濃度の差異が大きいと判断し（ｙｅｓ）、ステップＳ８１２に処理が分岐する。
【００７２】
より詳細には、判定部３０３は、入替前の画像形成装置１２０ａが印刷したパッチ画像の読取画像に含まれる黄色（Ｙ）、マゼンダ（Ｍ）及びシアン（Ｃ）の単色パッチの彩度を示す値から、入替後の画像形成装置１２０ｂが印刷したパッチ画像の読取画像に含まれる黄色（Ｙ）、マゼンダ（Ｍ）及びシアン（Ｃ）の単色パッチの彩度を示す値を減算する。いずれかの色について、その差分が所定の閾値よりも大きい場合、すなわち、入替後の画像形成装置１２０ｂの印字色の彩度が、入替前の画像形成装置１２０ａの印字色の彩度よりも過度に低い場合、判定部３０３は、画像形成装置１２０ａ，１２０ｂの印字色の彩度の差異が大きいと判断する。本実施形態では、所定の閾値として、後述するステップＳ８１２で算出される調整値によって印字色の彩度の差異を解消することができない値を採用する。
【００７３】
また、判定部３０３は、入替後の画像形成装置１２０ｂが印刷したパッチ画像の読取画像に含まれる黄色（Ｙ）、マゼンダ（Ｍ）及びシアン（Ｃ）の単色パッチの彩度を示す値から、入替前の画像形成装置１２０ａが印刷したパッチ画像の読取画像に含まれる黄色（Ｙ）、マゼンダ（Ｍ）及びシアン（Ｃ）の単色パッチの彩度を示す値を減算する。いずれかの色について、その差分が所定の閾値よりも大きい場合、すなわち、入替後の画像形成装置１２０ｂの印字色の彩度が、入替前の画像形成装置１２０ａの印字色の彩度よりも過度に高い場合、判定部３０３は、画像形成装置１２０ａ，１２０ｂの印字色の濃度の差異が大きいと判断する。
【００７４】
さらに、判定部３０３は、入替前の画像形成装置１２０ａが印刷したパッチ画像の読取画像に含まれる黄色（Ｙ）、マゼンダ（Ｍ）及びシアン（Ｃ）の単色パッチの濃度を示す値から、入替後の画像形成装置１２０ｂが印刷したパッチ画像の読取画像に含まれる黄色（Ｙ）、マゼンダ（Ｍ）及びシアン（Ｃ）の単色パッチの濃度を示す値を減算する。いずれかの色について、その差分が所定の閾値よりも大きい場合、すなわち、入替後の画像形成装置１２０ｂの印字色の濃度が、入替前の画像形成装置１２０ａの印字色の濃度よりも過度に低い場合、判定部３０３は、画像形成装置１２０ａ，１２０ｂの印字色の濃度の差異が大きいと判断する。本実施形態では、所定の閾値として、後述するステップＳ８１２で算出される調整値によって印字色の濃度の差異を解消することができない値を採用する。
【００７５】
さらに、判定部３０３は、入替後の画像形成装置１２０ｂが印刷したパッチ画像の読取画像に含まれる黄色（Ｙ）、マゼンダ（Ｍ）及びシアン（Ｃ）の単色パッチの濃度を示す値から、入替前の画像形成装置１２０ａが印刷したパッチ画像の読取画像に含まれる黄色（Ｙ）、マゼンダ（Ｍ）及びシアン（Ｃ）の単色パッチの濃度を示す値を減算する。いずれかの色について、その差分が所定の閾値よりも大きい場合、すなわち、入替後の画像形成装置１２０ｂの印字色の濃度が、入替前の画像形成装置１２０ａの印字色の濃度よりも過度に高い場合、判定部３０３は、画像形成装置１２０ａ，１２０ｂの印字色の濃度の差異が大きいと判断する。
【００７６】
ステップＳ８１２では、判定部３０３は、画像形成装置１２０ｂの彩度、又は濃度の調整が必要な旨を示す判定結果を携帯端末１２２に送信し、ステップＳ８１５で処理が終了する。このとき、判定部３０３は、画像形成装置１２０ｂの印字色の彩度を高く又は低くすべき旨を示す判定結果や、画像形成装置１２０ｂの印字色の濃度を高く、又は低くすべき旨を示す判定結果を送信する。
【００７７】
一方、ステップＳ８１１で入替後の画像形成装置１２０ｂの印字色の彩度、又は濃度の差異が大きくないと判断した場合は（ｎｏ）、ステップＳ８１３に処理が分岐する。ステップＳ８１３では、調整値算出部３０５は、入替前後の画像形成装置１２０ａ，１２０ｂの色再現域を使用して、入替後の画像形成装置１２０ｂの印字色を入替前の画像形成装置１２０ａの印字色と同一にする調整値を算出する。ステップＳ８１４では、判定部３０３は、サーバ１４０は、画像形成装置１２０ｂの調整が必要な旨を示す判定結果と共に、ステップＳ８１４で算出した調整値を携帯端末１２２に送信し、ステップＳ８１５で処理が終了する。
【００７８】
図９は、サーバ１４０が実行する色再現域の算出処理の一実施形態を示すフローチャートである。図９に示す処理は、ステップＳ９００から開始し、ステップＳ９０１で色再現域算出部３０４が、画像形成装置１２０ａ，１２０ｂの色材の識別情報が記憶部３０２に登録されているか否か判断する。色材の識別情報が登録されている場合は（ｙｅｓ）、ステップＳ９０２で色再現域算出部３０４が、色材の識別情報に関連付けて登録されている色再現域情報を取得し、ステップＳ９０６で処理が終了する。
【００７９】
一方、色材の識別情報が登録されていない場合は（ｎｏ）、ステップＳ９０３で色再現域算出部３０４が、画像形成装置１２０ａ，１２０ｂのパッチ画像の撮影画像から当該撮影画像を構成する各画素の画素値（ＲＧＢ値）を抽出する。ステップＳ９０４では色再現域算出部３０４は、画素値（ＲＧＢ値）を測色値（Ｌａｂ値）に変換する変換情報を用いて、パッチ画像の撮影画像の各画素の画素値を測色値に変換する。ステップＳ９０５では、色再現域算出部３０４は、パッチ画像の撮影画像の各画素の測色値を用いて画像形成装置１２０ａ，１２０ｂの色再現域を導出し、ステップＳ９０６で処理が終了する。
【００８０】
図１０は、サーバ１４０が実行するスキャナの判定処理の一実施形態を示すフローチャートである。図１０に示す処理は、ステップＳ１０００から開始し、ステップＳ１００１で判定部３０３が、携帯端末１２２が送信した画像形成装置１２０ａ，１２０ｂの識別情報に関連付けられている読取特性情報を記憶部３０２から取得し、入替前の画像形成装置１２０ａ及び入替後の画像形成装置１２０ｂの読取特性が同一又は同等であるか否か判断する。画像形成装置１２０ａ及び画像形成装置１２０ｂの読取特性が同一、又は同等である場合は（ｙｅｓ）、ステップＳ１００２に処理が分岐する。
【００８１】
ステップＳ１００２では、判定部３０３は、携帯端末１２２が送信した画像形成装置１２０ａ，１２０ｂの識別情報に関連付けられているパッチ画像の読取画像を記憶部３０２から取得し、これらの読取画像を構成する各画素の明度や輝度を示す値を比較し、各画素の当該値の差が所定の閾値以下であるか否か判断する。所定の閾値は、人が知覚できない程度の微差とすることが好適である。
【００８２】
他の実施形態では、判定部３０３は、画像形成装置１２０ａ，１２０ｂの識別情報に関連付けられている原稿の読取画像を記憶部３０２から取得し、これらの読取画像を構成する各画素の色（ＲＧＢ値）を比較し、各画素の画素値の差が所定の閾値以下であるか否か判断してもよい。
【００８３】
各画素の当該値の差が所定の閾値以下である場合（ｙｅｓ）、ステップＳ１００３に処理が分岐する。ステップＳ１００３では、判定部３０３は、入替前の画像形成装置１２０ａ及び入替後の画像形成装置１２０ｂの読取特性が同一又は同等である旨を示す判定結果を携帯端末１２２に送信し、ステップＳ１０１４で処理が終了する。
【００８４】
一方、各画素の当該値の差が所定の閾値よりも大きい場合（ｎｏ）、ステップＳ１００４に処理が分岐する。ステップＳ１００４では、判定部３０３は、入替前の画像形成装置１２０ａの読取画像に含まれる白部分、又は黒部分の画素値と、入替後の画像形成装置１２０ｂの読取画像に含まれる白部分、又は黒部分の画素値とが異なるか否か判断する。
【００８５】
白部分の画素値、又は黒部分の画素値が異なる場合は（ｙｅｓ）、ステップＳ１００５に処理が分岐する。ステップＳ１００５では、判定部３０３は、画像形成装置１２０ｂの調整が必要な旨を示す判定結果を携帯端末１２２に送信し、ステップＳ１０１４で処理が終了する。この場合、ユーザは、画像形成装置１２０ｂの光源の光量の調整やゲイン調整等を行う。
【００８６】
一方、白部分の画素値、又は黒部分の画素値が同じである場合は（ｎｏ）、ステップＳ１００６に処理が分岐する。ステップＳ１００６では、調整値算出部３０５は、入替後の画像形成装置１２０ｂの読取特性を入替前の画像形成装置１２０ａの読取特性と同一にする調整値を決定する。
【００８７】
本実施形態では、サーバ１４０は、読取値の差と、当該読取値の差を是正する画像形成装置１２０ａの調整値（ランプ光量やＡＤコンバータのゲイン等）とを関連付ける調整値決定情報を保持しており、調整値算出部３０５は、当該調整値決定情報を参照し、ステップＳ１００２で算出した読取値の差に関連付けられている調整値を決定する。
【００８８】
他の実施形態では、サーバ１４０は、読取値の差と、当該読取値の差を是正する調整値の方向（プラス側、マイナス側）とを関連付ける調整値決定情報を保持し、調整値算出部３０５が、当該調整値決定情報を参照し、ステップＳ１００２で算出した読取値の差に関連付けられている調整値の方向を決定してもよい。
【００８９】
ステップＳ１００７では、判定部３０３は、画像形成装置１２０ｂの調整が必要な旨を示す判定結果と共に、ステップＳ１００６で決定した調整値を携帯端末１２２に送信し、ステップＳ１０１４で処理が終了する。
【００９０】
一方、ステップＳ１００１で画像形成装置１２０ａ及び画像形成装置１２０ｂの読取特性が異なると判断した場合、又は画像形成装置１２０ａ及び画像形成装置１２０ｂの少なくとも一方の読取特性情報が記憶部３０２に保存されていない場合は（ｎｏ）、ステップＳ１００８に処理が分岐する。ステップＳ１００８では、判定部３０３は、携帯端末１２２が送信した比較対象の画像形成装置１２０ａ，１２０ｂの識別情報に関連付けられているパッチ画像の読取画像が記憶部３０２に保存されているか否か判断する。
【００９１】
パッチ画像の読取画像が保存されていない場合は（ｎｏ）、ステップＳ１００９に処理が分岐する。ステップＳ１００９では、判定部３０３は、画像形成装置１２０ｂの調整が不可能である旨を示す判定結果を携帯端末１２２に送信し、ステップＳ１０１４で処理が終了する。
【００９２】
一方、パッチ画像の読取画像が保存されている場合は（ｙｅｓ）、ステップＳ１０１０に処理が分岐する。ステップＳ１０１０では、判定部３０３は、入替前の画像形成装置１２０ａ及び入替後の画像形成装置１２０ｂのパッチ画像の読取画像を構成する各画素の画素値を抽出する。ステップＳ１０１１では、判定部３０３は、ステップＳ１０１０で抽出した画素値を用いて、入替前の画像形成装置１２０ａの識別可能な色と、入替後の画像形成装置１２０ｂの識別可能な色とが一致するか否か判断する。
【００９３】
より詳細には、同一のパッチ１とパッチ２に対して、入れ替え前の画像形成装置のＲＧＢ読取値をそれぞれ、（Ｒ前１，Ｇ前１，Ｂ前１）、（Ｒ前２，Ｇ前２，Ｂ前２）とし、入れ替え後の画像形成装置のＲＧＢ読取値を（Ｒ後１，Ｇ後１，Ｂ後１）、（Ｒ後２，Ｇ後２，Ｂ後２）とした場合、
｛（Ｒ前１）−（Ｒ前２）｝＝｛（Ｒ後１）−（Ｒ後２）｝、
｛（Ｇ前１）−（Ｇ前２）｝＝｛（Ｇ後１）−（Ｇ後２）｝、
｛（Ｂ前１）−（Ｂ前２）｝＝｛（Ｂ後１）−（Ｂ後２）｝
であるときは、パッチ１とパッチ２の識別ができていると判定する。
【００９４】
実際には、スキャナの読取値（ＲＧＢ）は、反射率の特性、（Ｒ前１，Ｇ前１，Ｂ前１）、（Ｒ後１，Ｇ後１，Ｂ後１）のそれぞれの絶対値により、例えば、Ｒ成分に対し、（Ｒ前１）＞（Ｒ後１）の場合、
｛（Ｒ前１）−（Ｒ前２）｝＞｛（Ｒ後１）−（Ｒ後２）｝＞０
であるときは、パッチ１とパッチ２が同等に識別されていると判定する。Ｇ成分（（Ｇ前１）、（Ｇ後１）など）、Ｂ成分（（Ｂ前１）、（Ｂ後１）等）についても同様である。
【００９５】
一方、｜Ａ｜をＡの絶対値として、例えば、
｜（Ｒ前１）−（Ｒ前２）｜＞｜（Ｒ後１）−（Ｒ後２）｜＝０
｛（Ｇ前１）−（Ｇ前２）｝＝｛（Ｇ後１）−（Ｇ後２）｝
｛（Ｂ前１）−（Ｂ前２）｝＝｛（Ｂ後１）−（Ｂ後２）｝
である場合には、入れ替え前の画像形成装置（スキャナ）で識別可能な色が、入れ替え後の画像形成装置（スキャナ）では、識別不可能となっていると判定する。
【００９６】
上記のような判定を、すべてのパッチの組み合わせに対して比較する。パッチ１の測色値Ｌ１*ａ１*Ｂ１*と、パッチ２の測色値Ｌ２*ａ２*Ｂ２*と、スキャナの読取値（ＲＧＢ）の関係から、ＲＧＢＣＭＹなどの色相で、どの色相のパッチが識別し易い、識別し難いなどの判定をすることができる。
【００９７】
画像形成装置１２０ａ，１２０ｂの識別可能な色が一致しない場合は（ｎｏ）、ステップＳ１００９に処理が分岐する。一方、画像形成装置１２０ａ，１２０ｂの識別可能な色が一致する場合は（ｙｅｓ）、ステップＳ１０１２に処理が分岐する。ステップＳ１０１２では、判定部３０３は、ステップＳ１００６と同様に、ステップＳ１０１０で抽出した画素値を用いて、入替後の画像形成装置１２０ｂの読取特性を入替前の画像形成装置１２０ａの読取特性と同一にする調整値を決定する。
【００９８】
ステップＳ１０１３では、判定部３０３は、画像形成装置１２０ｂの調整が必要な旨を示す判定結果と共に、ステップＳ１０１２で算出した調整値を携帯端末１２２に送信し、ステップＳ１０１４で処理が終了する。
【００９９】
本実施形態では、ユーザがステップＳ１０１２で決定した調整値で画像形成装置１２０ａを調整した場合でも、読取特性が同一や同等とならない場合は、特許文献２が開示する技術を使用して、読取値を画像処理した後の画像データを特性に同一にすることができる。
【０１００】
より詳細には、特許文献２が開示する線形マスキング処理手段と、３次元ＬＵＴ変換手段とを使用して、線形マスキング処理手段に設定する画像処理パラメータと、３次元ＬＵＴ変換手段に設定する画像処理パラメータを決定する。スキャナの読み取り特性が異なることにより、線形マスキング処理への入力値が異なるが、任意のパッチ１とパッチ２が識別可能な場合には、３次元ＬＵＴ変換手段から出力した結果を同一に近づける。
【０１０１】
入れ替え前の画像処理装置（スキャナ）の読取値、入れ替え後の画像処理装置（スキャナ）の読取値を、スキャナ読取値１及びスキャナ読取値２とし、線形マスキング処理手段にスキャナ読取値２を適用して、線形マスキング処理パラメータ（調整値）を決定し、３次元ＬＵＴ変換手段にスキャナ読取値１を適用することにより、３次元ＬＵＴ変換パラメータ（調整値）を決定する。
【０１０２】
線形マスキング処理パラメータは、粗調整や全体の大きさ（濃さ、明るさ、色味の割合）の調整に使用し、３次元ＬＵＴ変換パラメータは、微調整（近い色味の色に対する色相の調整など）に使用します。スキャナ読取値１とスキャナ読取値２が近い場合には、線形マスキング処理パラメータ又は３次元ＬＵＴ変換パラメータのいずれか一方のみを調整する。
【０１０３】
図１１は、サーバ１４０が実行する複合機の判定処理の一実施形態を示すフローチャートである。図１１に示す処理は、ステップＳ１１００から開始し、ステップＳ１１０１で判定部３０３が、画像形成装置１２０ａ，１２０ｂが同一の機種であるか否か判断する。本実施形態では、画像形成装置１２０ａ，１２０ｂの識別情報に含まれる製品名が同一の場合、判定部３０３は、これらの画像形成装置が同一の機種であると判断する。
【０１０４】
画像形成装置１２０ａ，１２０ｂが同一の機種の場合は（ｙｅｓ）、ステップＳ１１０２に処理が分岐する。ステップＳ１１０２では、判定部３０３は、携帯端末１２２が送信した画像形成装置の識別情報に関連付けられている読取画像に付加されている読取画像の識別情報を参照し、比較対象の画像形成装置１２０ａ，１２０ｂの双方の原稿の読取画像が記憶部３０２に存在するか否か判断する。
【０１０５】
画像形成装置１２０ａ，１２０ｂの双方の原稿の読取画像が存在する場合は（ｙｅｓ）、ステップＳ１１０３に処理が分岐する。ステップＳ１１０３では、判定部３０３は、図１２に示す画像形成装置の印字色及び読取特性の判定処理を実行し、ステップＳ１１０６で処理が終了する。
【０１０６】
画像形成装置１２０ａ，１２０ｂの少なくとも一方の原稿の読取画像が存在しない場合は（ｎｏ）、ステップＳ１１０４に処理が分岐する。ステップＳ１１０４では、判定部３０３は、図１４に示す画像形成装置の印字色及び読取特性の判定処理を実行し、ステップＳ１１０６で処理が終了する。
【０１０７】
一方、ステップＳ１１０１で判定部３０３が、画像形成装置１２０ａ，１２０ｂが同一の機種でないと判断した場合は（ｎｏ）、ステップＳ１１０５に処理が分岐する。ステップＳ１１０５では、判定部３０３は、図１６に示す画像形成装置の印字色及び読取特性の判定処理を実行し、ステップＳ１１０６で処理が終了する。本実施形態では、画像形成装置１２０ａ，１２０ｂが同一の機種でない場合は、原稿の読取画像がサーバ１４０に保存されているものとする。
【０１０８】
図１２は、比較対象の画像形成装置１２０ａ，１２０ｂが同一機種の複合機であり、原稿の読取画像が存在する場合に、サーバ１４０が実行する画像形成装置の判定処理の一実施形態を示すフローチャートである。
【０１０９】
図１２に示す処理は、図１１に示すステップＳ１１０３が実行されることにより、ステップＳ１２００から開始する。ステップＳ１２０１では、判定部３０３が、携帯端末１２２が送信した比較対象の画像形成装置１２０ａ，１２０ｂの識別情報に関連付けられている印刷対象画像の印刷物の読取画像を記憶部３０２から取得する。
【０１１０】
ステップＳ１２０２では、判定部３０３は、入替前の画像形成装置１２０ａの読取画像の各画素の画素値（ＲＧＢ値）と、入替後の画像形成装置１２０ｂの読取画像の各画素の画素値（ＲＧＢ値）との差が、所定の閾値以下であるか判断する。本実施形態では、所定の閾値として、肉眼で認識できない程度の画素値の差を採用することが好適である。
【０１１１】
画素値の差が所定の閾値以下である場合（ｙｅｓ）、ステップＳ１２０３に処理が分岐する。ステップＳ１２０３では、判定部３０３は、入替前の画像形成装置１２０ａ及び入替後の画像形成装置１２０ｂの印字色及び読取特性が同一又は同等である旨を示す判定結果を携帯端末１２２に送信し、ステップＳ１２１２で処理が終了する。
【０１１２】
一方、画素値の差が所定の閾値よりも大きい場合（ｎｏ）、ステップＳ１２０４に処理が分岐する。ステップＳ１２０４では、判定部３０３は、携帯端末１２２が送信した比較対象の画像形成装置１２０ａ，１２０ｂの識別情報に関連付けられている原稿の読取画像とパッチ画像の印刷物の読取画像とを記憶部３０２から取得する。
【０１１３】
ステップＳ１２０５では、入替前の画像形成装置１２０ａの原稿の読取画像の各画素の画素値（ＲＧＢ値）と、入替後の画像形成装置１２０ｂの原稿の読取画像の各画素の画素値（ＲＧＢ値）との差が所定の閾値以下であるか、また、入替前の画像形成装置１２０ａのパッチ画像の印刷物の読取画像の各画素の画素値（ＲＧＢ値）と、入替後の画像形成装置１２０ｂのパッチ画像の印刷物の読取画像の各画素の画素値（ＲＧＢ値）との差が所定の閾値以下であるか判断し、判断結果に応じて処理を分岐する。本実施形態では、所定の閾値として、肉眼で認識できない程度の画素値の差を採用することが好適である。
【０１１４】
具体的には、原稿の読取画像の画素値の差が閾値以下であり、且つ、パッチ画像の印刷物の読取画像の画素値の差が閾値以下である場合は、ステップＳ１２０６に処理が分岐する。ステップＳ１２０６では、色再現域算出部３０４は、入替後の画像形成装置１２０ｂの印字色を入替前の画像形成装置１２０ａの印字色及び読取特性と同一にする調整値を算出し、判定部３０３は、画像形成装置１２０ｂの調整が必要な旨を示す判定結果及び調整値を携帯端末１２２に送信し、ステップＳ１２１２で処理が終了する。
【０１１５】
本実施形態では、ステップＳ１２０６において下記の画像処理γ変換処理に設定するγ変換パラメータを調整する。濃度が異なるＹＭＣＫの色パッチを入力（横軸）とし、目標値（入れ替え前の画像処理装置のＹＭＣＫの出力結果）を出力（縦軸）とし、ＹＭＣＫ用のそれぞれの入力と出力の関係から、ＹＭＣＫ用のそれぞれのγ変換パラメータを決定する。
【０１１６】
また、ステップＳ１２０５で原稿の読取画像の画素値の差のみが閾値以下であると判断した場合は、ステップＳ１２０７に処理が分岐する。ステップＳ１２０７では、判定部３０３は、画像形成装置１２０ｂが備えるプリンタの調整が必要な旨を示す判定結果を携帯端末１２２に送信し、ステップＳ１２１２で処理が終了する。
【０１１７】
さらに、ステップＳ１２０５でパッチ画像の印刷物の読取画像の画素値の差のみが閾値以下であると判断した場合は、ステップＳ１２０８に処理が分岐する。ステップＳ１２０８では、判定部３０３は、携帯端末１２２が送信した比較対象の画像形成装置１２０ａ，１２０ｂの識別情報に関連付けられている原稿の撮影画像を記憶部３０２から取得する。
【０１１８】
ステップＳ１２０９では、判定部３０３は、入替前の画像形成装置１２０ａの原稿の撮影画像の各画素の画素値（ＲＧＢ値）と、入替後の画像形成装置１２０ｂの原稿の撮影画像の各画素の画素値（ＲＧＢ値）との差が所定の閾値以下であるか否か判断する。本実施形態では、所定の閾値として、肉眼で認識できない程度の画素値の差を採用することが好適である。
【０１１９】
原稿の撮影画像の各画素の画素値の差が閾値以下である場合は（ｙｅｓ）、ステップＳ１２１０に処理が分岐する。ステップＳ１２１０では、判定部３０３は、入替後の画像形成装置１２０ｂの印字色及び読取特性を入替前の画像形成装置１２０ａの印字色及び読取特性と同一にする調整値を算出し、画像形成装置１２０ｂの調整が必要な旨を示す判定結果及び調整値を携帯端末１２２に送信し、ステップＳ１２１２で処理が終了する。
【０１２０】
本実施形態では、ステップＳ１２１０において画像処理パラメータ（線形マスキング処理パラメータ、３次元ＬＵＴ変換パラメータ及びγ変換パラメータ）の調整が必要となる。これらのパラメータは上述した方法によって調整することができる。
【０１２１】
一方、原稿の撮影画像の各画素の画素値の差が閾値よりも大きい場合、すなわち、画像形成装置の入替前後で原稿が異なる場合は（ｎｏ）、ステップＳ１２１１に処理が分岐する。ステップＳ１２１１では、判定部３０３は、画像形成装置１２０ａ，１２０ｂの判定が不可能である旨を示す結果を携帯端末１２２に送信し、ステップＳ１２１２で処理が終了する。
【０１２２】
さらに、ステップＳ１２０５で原稿の読取画像の画素値の差が閾値よりも大きく、且つ、パッチ画像の印刷物の読取画像の画素値の差が閾値よりも大きいと判断した場合は、図１３に示すステップＳ１３００に処理が分岐する。ステップＳ１３００では、判定部３０３は、携帯端末１２２が送信した比較対象の画像形成装置１２０ａ，１２０ｂの識別情報に関連付けられている原稿の撮影画像及びパッチ画像の印刷物の撮影画像を記憶部３０２から取得する。
【０１２３】
ステップＳ１３０１では、判定部３０３は、入替前の画像形成装置１２０ａの原稿の撮影画像の各画素の画素値（ＲＧＢ値）と、入替後の画像形成装置１２０ｂの原稿の撮影画像の各画素の画素値（ＲＧＢ値）との差が所定の閾値以下であるか否か、また、入替前の画像形成装置１２０ａのパッチ画像の印刷物の撮影画像の各画素の画素値（ＲＧＢ値）と、入替後の画像形成装置１２０ｂのパッチ画像の印刷物の撮影画像の各画素の画素値（ＲＧＢ値）との差が所定の閾値以下であるか否か判断し、判断結果に応じて処理を分岐する。本実施形態では、所定の閾値として、肉眼で認識できない程度の画素値の差を採用することが好適である。
【０１２４】
具体的には、原稿の撮影画像の画素値の差及びパッチ画像の印刷物の撮影画像の画素値の差が閾値以下であり、又は、パッチ画像の印刷物の撮影画像の画素値の差のみが閾値以下である場合は、ステップＳ１３０２に処理が分岐する。ステップＳ１３０３では、判定部３０３は、画像形成装置１２０ｂのスキャナの調整が必要な旨を示す判定結果を携帯端末１２２に送信し、ステップＳ１２１２で処理が終了する。
【０１２５】
また、ステップＳ１３０１で原稿の撮影画像の画素値の差のみが閾値以下であると判断した場合は、ステップＳ１３０３に処理が分岐する。ステップＳ１３０３では、判定部３０３は、画像形成装置１２０ｂのスキャナ及びプリンタの調整が必要な旨を示す判定結果を携帯端末１２２に送信し、ステップＳ１２１２で処理が終了する。
【０１２６】
さらに、ステップＳ１３０１で原稿の撮影画像の画素値の差及びパッチ画像の印刷物の撮影画像の画素値の差が閾値よりも大きいと判断した場合は、ステップＳ１３０４に処理が分岐する。ステップＳ１３０４では、判定部３０３は、画像形成装置１２０ａ，１２０ｂの判定が不可能である旨を示す結果を携帯端末１２２に送信し、ステップＳ１２１２で処理が終了する。
【０１２７】
図１４は、比較対象の画像形成装置１２０ａ，１２０ｂが同一機種の複合機であり、原稿の読取画像が存在しない場合に、サーバ１４０が実行する画像形成装置の判定処理の一実施形態を示すフローチャートである。
【０１２８】
図１４に示す処理は、図１１に示すステップＳ１１０４が実行されることにより、ステップＳ１４００から開始する。ステップＳ１４０１では、判定部３０３は、携帯端末１２２が送信した比較対象の画像形成装置１２０ａ，１２０ｂの識別情報に関連付けられている印刷対象画像の印刷物の読取画像を記憶部３０２から取得する。
【０１２９】
ステップＳ１４０２では、判定部３０３は、入替前の画像形成装置１２０ａの読取画像の各画素の画素値（ＲＧＢ値）と、入替後の画像形成装置１２０ｂの読取画像の各画素の画素値（ＲＧＢ値）との差が、所定の閾値以下であるか判断する。本実施形態では、所定の閾値として、肉眼で認識できない程度の画素値の差を採用することが好適である。
【０１３０】
画素値の差が所定の閾値以下である場合（ｙｅｓ）、ステップＳ１４０３に処理が分岐する。ステップＳ１４０３では、判定部３０３は、入替前の画像形成装置１２０ａ及び入替後の画像形成装置１２０ｂの印字色及び読取特性が同一又は同等である旨を示す判定結果を携帯端末１２２に送信し、ステップＳ１４１３で処理が終了する。
【０１３１】
一方、画素値の差が所定の閾値よりも大きい場合（ｎｏ）、ステップＳ１４０４に処理が分岐する。ステップＳ１４０４では、判定部３０３は、携帯端末１２２が送信した比較対象の画像形成装置１２０ａ，１２０ｂの識別情報に関連付けられている印刷対象画像の印刷物の撮影画像と、パッチ画像の印刷物の読取画像とを記憶部３０２から取得する。
【０１３２】
ステップＳ１４０５では、判定部３０３は、入替前の画像形成装置１２０ａの印刷対象画像の印刷物の撮影画像の各画素の画素値（ＲＧＢ値）と、入替後の画像形成装置１２０ｂの印刷対象画像の印刷物の撮影画像の各画素の画素値（ＲＧＢ値）との差が所定の閾値以下であるか、また、入替前の画像形成装置１２０ａのパッチ画像の印刷物の読取画像の各画素の画素値（ＲＧＢ値）と、入替後の画像形成装置１２０ｂのパッチ画像の印刷物の読取画像の各画素の画素値（ＲＧＢ値）との差が所定の閾値以下であるか判断し、判断結果に応じて処理が分岐する。本実施形態では、所定の閾値として、肉眼で認識できない程度の画素値の差を採用することが好適である。
【０１３３】
印刷対象画像の印刷物の撮影画像の画素値の差及びパッチ画像の読取画像の画素値の差が所定の閾値以下である場合、又は、印刷対象画像の印刷物の撮影画像の画素値の差のみが所定の閾値以下である場合は、ステップＳ１４０６に処理が分岐する。
【０１３４】
ステップＳ１４０６では、判定部３０３は、撮影装置のキャリブレーションが必要である旨のメッセージと、キャリブレーション後の印刷対象画像の印刷物の撮影画像が必要である旨のメッセージを携帯端末１２２に送信する。次いで、図１５に示すステップＳ１５００で判定部３０３は、携帯端末１２２から印刷対象画像の印刷物の撮影画像を受信したか否か判断する。撮影画像を受信していない場合は（ｎｏ）、撮影画像を受信するまでステップＳ１５００の処理を反復して実行する。一方、撮影画像を受信した場合は（ｙｅｓ）、ステップＳ１５０１に処理が分岐する。
【０１３５】
ステップＳ１５０１では、判定部３０３は、ステップＳ１４０４で取得したキャリブレーション前の印刷対象画像の印刷物の撮影画像の各画素の画素値（ＲＧＢ値）と、ステップＳ１５００で受信したキャリブレーション後の印刷対象画像の印刷物の撮影画像の各画素の画素値（ＲＧＢ値）との差が所定の閾値以下であるか判断する。本実施形態では、所定の閾値として、肉眼で認識できない程度の画素値の差を採用することが好適である。
【０１３６】
印刷対象画像の印刷物の撮影画像の画素値の差が所定の閾値よりも大きい場合は（ｎｏ）、ステップＳ１５０２に処理が分岐する。ステップＳ１５０２では、判定部３０３は、印刷対象画像の印刷物の撮影画像、画像パッチの撮影画像、及び原稿の撮影画像の送信を要求する旨のメッセージを携帯端末１２２に送信し、ステップＳ１４１２で処理が終了する。この場合、ユーザは再び、携帯端末１２２を用いて画像形成装置の判定を要求すると共に、これらの撮影画像をサーバ１４０に送信する。
【０１３７】
一方、ステップＳ１５０１で印刷対象画像の印刷物の撮影画像の画素値の差が所定の閾値以下であると判断した場合は（ｙｅｓ）、ステップＳ１５０３に処理が分岐する。ステップＳ１５０３では、判定部３０３は、携帯端末１２２のユーザの判断を要求する。
【０１３８】
ステップＳ１５０４では、判定部３０３は、ユーザの判断結果を受信したか否か判断する。ユーザの判断結果を受信していない場合は（ｎｏ）、ユーザの判断結果を受信するまでステップＳ１５０４の処理を反復して実行する。一方、ユーザの判断結果を受信した場合は（ｙｅｓ）、ステップＳ１５０５に処理が分岐する。
【０１３９】
ステップＳ１５０５では、判定部３０３は、ユーザの判断結果が承認を示すか否か判断する。ユーザの判断結果が承認を示す場合は（ｙｅｓ）、ステップＳ１５０６に処理が分岐する。ステップＳ１５０６では、判定部３０３は、画像形成装置１２０ａ，１２０ｂの印字色及び読取特性が同一又は同等である旨を示す判定結果を携帯端末１２２に送信し、ステップＳ１４１２で処理が終了する。
【０１４０】
一方、ユーザの判断結果が承認を示さない場合は（ｎｏ）、ステップＳ１５０７に処理が分岐する。ステップＳ１５０７では、判定部３０３は、ＯＫとなる画像出力結果が存在するか否か判断する。本実施形態では、比較対象の画像形成装置の印刷物の撮影画像の差が所定の許容値以下である場合、ＯＫとなる画像出力結果が存在すると判断する。所定の許容値は、ユーザが任意に設定することができる。
【０１４１】
ＯＫとなる画像出力結果が存在する場合は（ｙｅｓ）、ステップＳ１５０８に処理が分岐する。ステップＳ１５０８では、判定部３０３は、画像データを登録し、ステップＳ１４１２で処理が終了する。本実施形態では、評価に使用した画像データ、すなわち、出力結果と色パッチのスキャナ読み取り画像を登録する。撮影画像が使用された場合には、撮影画像を登録する。
【０１４２】
一方、ＯＫとなる画像出力結果が存在しない場合は（ｎｏ）、ステップＳ１５０９に処理が分岐する。ステップＳ１５０９では、判定部３０３は、画像形成装置１２０ａ，１２０ｂの印字色及び読取特性が異なる旨を示す判定結果を携帯端末１２２に送信し、ステップＳ１４１２で処理が終了する。
【０１４３】
また、図１４に示すステップＳ１４０５でパッチ画像の読取画像の画素値の差のみが所定の閾値以下であると判断した場合は、ステップＳ１４０７に処理が分岐する。
【０１４４】
ステップＳ１４０７では、判定部３０３は、入替後の画像形成装置１２０ｂの印字色を入替前の画像形成装置１２０ａの印字色及び読取特性と同一にする調整値を算出し、画像形成装置１２０ｂの調整が必要な旨を示す判定結果及び調整値を携帯端末１２２に送信し、ステップＳ１４１２で処理が終了する。
【０１４５】
本実施形態では、ステップＳ１４０７において画像処理パラメータ（３次元ＬＵＴ変換パラメータ及びγ変換パラメータ）を調整する。画像濃度の調整は、γ変換パラメータで調整し、色合いは３次元ＬＵＴ変換パラメータで調整することができる。これらのパラメータは上述した方法によって調整することができる。
【０１４６】
さらに、ステップＳ１４０５で印刷対象画像の印刷物の撮影画像の画素値の差及びパッチ画像の読取画像の画素値の差が所定の閾値よりも大きいと判断した場合は、ステップＳ１４０８に処理が分岐する。
【０１４７】
ステップＳ１４０８では、判定部３０３は、携帯端末１２２が送信した比較対象の画像形成装置１２０ａ，１２０ｂの識別情報に関連付けられているパッチ画像の印刷物の撮影画像を記憶部３０２から取得する。ステップＳ１４０９では、判定部３０３は、入替前の画像形成装置１２０ａのパッチ画像の撮影画像の各画素の画素値（ＲＧＢ値）と、入替後の画像形成装置１２０ｂのパッチ画像の撮影画像の各画素の画素値（ＲＧＢ値）との差が所定の閾値以下であるか否か判断する。
【０１４８】
パッチ画像の撮影画像の画素値の差が閾値以下である場合は（ｙｅｓ）、ステップＳ１４１０に処理が分岐する。ステップＳ１４１０では、判定部３０３は、画像形成装置１２０ｂのスキャナの調整が必要な旨を示す判定結果を携帯端末１２２に送信し、ステップＳ１４１２で処理が終了する。
【０１４９】
一方、パッチ画像の撮影画像の画素値の差が閾値よりも大きい場合は（ｎｏ）、ステップＳ１４１１に処理が分岐する。ステップＳ１４１１では、判定部３０３は、画像形成装置１２０ｂのプリンタの調整が必要な旨を示す判定結果を携帯端末１２２に送信し、ステップＳ１４１２で処理が終了する。
【０１５０】
図１６は、比較対象の画像形成装置１２０ａ，１２０ｂである複合機の機種が異なる場合に、サーバ１４０が実行する画像形成装置の判定処理の一実施形態を示すフローチャートである。
【０１５１】
図１６に示す処理は、図１１に示すステップＳ１１０５が実行されることにより、ステップＳ１６００から開始する。ステップＳ１６０１では、判定部３０３が、携帯端末１２２が送信した画像形成装置１２０ａ，１２０ｂの識別情報に関連付けられている読取特性情報を記憶部３０２から取得し、入替前の画像形成装置１２０ａと入替後の画像形成装置１２０ｂとの読取特性が同一であるか否か判断する。画像形成装置１２０ａ及び画像形成装置１２０ｂの読取特性が同一又は同等である場合は（ｙｅｓ）、ステップＳ１６０３に処理が分岐する。
【０１５２】
ステップＳ１６０３では、判定部３０３は、携帯端末１２２が送信した画像形成装置１２０ａ，１２０ｂの識別情報に関連付けられている読取画像を記憶部３０２から取得する。ステップＳ１６０４では、判定部３０３は、入替前の画像形成装置１２０ａの読取画像の各画素の画素値（ＲＧＢ値）と、入替後の画像形成装置１２０ｂの読取画像の各画素の画素値（ＲＧＢ値）との差が、所定の閾値以下であるか判断し、判断結果に応じて処理を分岐させる。本実施形態では、所定の閾値として、肉眼で認識できない程度の画素値の差を採用することが好適である。
【０１５３】
具体的には、印刷対象画像の印刷物の読取画像の画素値の差が所定の閾値以下である場合は、ステップＳ１６０５に処理が分岐する。ステップＳ１６０５では、判定部３０３は、画像形成装置１２０ａ，１２０ｂの印字色及び読取特性が同一又は同等である旨を示す判定結果を携帯端末１２２に送信し、ステップＳ１６１４で処理が終了する。
【０１５４】
ステップＳ１６０４で原稿及びパッチ画像の読取画像の画素値のみが閾値以下であると判断した場合は、ステップＳ１６０６に処理が分岐する。
【０１５５】
ステップＳ１６０６では、判定部３０３は、入替後の画像形成装置１２０ｂの印字色を入替前の画像形成装置１２０ａの印字色及び読取特性と同一にする調整値を算出し、画像形成装置１２０ｂの調整が必要な旨を示す判定結果及び調整値を携帯端末１２２に送信し、ステップＳ１６１４で処理が終了する。
【０１５６】
本実施形態では、ステップＳ１６０６において画像処理パラメータ（γ変換パラメータ）又は画像処理パラメータ（線形マスキング処理パラメータ、３次元ＬＵＴ変換パラメータ及びγ変換パラメータ）の調整が必要となる。これらのパラメータは上述した方法によって調整することができる。
【０１５７】
ステップＳ１６０４でパッチ画像の読取画像の画素値のみが閾値以下であると判断した場合は、ステップＳ１６０７に処理が分岐する。
【０１５８】
ステップＳ１６０７では、判定部３０３は、携帯端末１２２が送信した画像形成装置１２０ａ，１２０ｂの識別情報に関連付けられている原稿の撮影画像を記憶部３０２から取得する。ステップＳ１６０８では、判定部３０３は、入替前の画像形成装置１２０ａの原稿の撮影画像の各画素の画素値（ＲＧＢ値）と、入替後の画像形成装置１２０ｂの原稿の撮影画像の各画素の画素値（ＲＧＢ値）との差が、所定の閾値以下であるか判断する。画素値の差が閾値以下である場合は（ｙｅｓ）、ステップＳ１６０６に処理が分岐する。
【０１５９】
一方、画素値の差が閾値よりも大きい場合は（ｎｏ）、ステップＳ１６０９に処理が分岐する。ステップＳ１６０９では、判定部３０３は、画像形成装置１２０ａ，１２０ｂの判定が不可能である旨を示す結果を携帯端末１２２に送信し、ステップＳ１６１４で処理が終了する。
【０１６０】
ステップＳ１６０４で原稿の読取画像の画素値のみが閾値以下であると判断した場合は、ステップＳ１６１０に処理が分岐する。ステップＳ１６１０では、判定部３０３は、画像形成装置１２０ｂのプリンタの調整が必要である旨を示す判定結果を携帯端末１２２に送信し、ステップＳ１６１４で処理が終了する。
【０１６１】
ステップＳ１６０４で総ての読取画像の画素値の差が所定の閾値より大きいと判断した場合は、ステップＳ１６１１に処理が分岐する。ステップＳ１６１１では、判定部３０３は、携帯端末１２２が送信した画像形成装置１２０ａ，１２０ｂの識別情報に関連付けられている原稿及びパッチ画像の印刷物の撮影画像を記憶部３０２から取得する。
【０１６２】
ステップＳ１６１２では、判定部３０３は、入替前の画像形成装置１２０ａの原稿の撮影画像の各画素の画素値（ＲＧＢ値）と、入替後の画像形成装置１２０ｂの原稿の撮影画像の各画素の画素値（ＲＧＢ値）との差が所定の閾値以下であるか、又は、入替前の画像形成装置１２０ａのパッチ画像の印刷物の撮影画像の各画素の画素値（ＲＧＢ値）と、入替後の画像形成装置１２０ｂのパッチ画像の印刷物の撮影画像の各画素の画素値（ＲＧＢ値）との差が所定の閾値以下であるか判断する。
【０１６３】
原稿の撮影画像の画素値の差が所定の閾値よりも大きく、且つ、パッチ画像の印刷物の撮影画像の画素値の差が所定の閾値よりも大きい場合は（ｎｏ）、ステップＳ１６０９に処理が分岐する。ステップＳ１６０９では、判定部３０３は、画像形成装置１２０ａ，１２０ｂの判定が不可能である旨を示す結果を携帯端末１２２に送信し、ステップＳ１６１４で処理が終了する。
【０１６４】
一方、原稿の撮影画像の画素値の差が所定の閾値以下である場合、又は、パッチ画像の印刷物の撮影画像の画素値の差が所定の閾値以下である場合は（ｙｅｓ）、ステップＳ１６１３に処理が分岐する。ステップＳ１６１３では、判定部３０３は、画像形成装置１２０ｂのスキャナの調整が必要な旨を示す判定結果を携帯端末１２２に送信し、ステップＳ１６１４で処理が終了する。
【０１６５】
一方、ステップＳ１６０１で画像形成装置１２０ａと画像形成装置１２０ｂとの読取特性が異なると判断した場合は（ｎｏ）、ステップＳ１６０２に処理が分岐する。図１７に示す処理は、図１６に示すステップＳ１６０２が実行されることにより、ステップＳ１７００から開始する。
【０１６６】
ステップＳ１７０１では、判定部３０３は、携帯端末１２２が送信した比較対象の画像形成装置１２０ａ，１２０ｂの識別情報に関連付けられている印刷対象画像の印刷物及び原稿の撮影画像を記憶部３０２から取得する。ステップＳ１７０２では、判定部３０３は、入替前の画像形成装置１２０ａの撮影画像の各画素の画素値（ＲＧＢ値）と、入替後の画像形成装置１２０ｂの撮影画像の各画素の画素値（ＲＧＢ値）との差が所定の閾値以下であるか判断し、判断結果に応じて処理を分岐させる。本実施形態では、所定の閾値として、肉眼で認識できない程度の画素値の差を採用することが好適である。
【０１６７】
具体的には、印刷対象画像の印刷物の撮影画像の画素値の差が所定の閾値以下である場合は、ステップＳ１７０３に処理が分岐する。ステップＳ１７０３では、判定部３０３は、画像形成装置１２０ａ，１２０ｂの印字色が同一又は同等である旨を示す判定結果を携帯端末１２２に送信し、ステップＳ１７０６で処理が終了する。
【０１６８】
ステップＳ１７０２で原稿の撮影画像の画素値の差のみが所定の閾値以下である場合は、ステップＳ１７０４に処理が分岐する。ステップＳ１７０４では、判定部３０３は、ステップＳ１００６と同様に、入替後の画像形成装置１２０ｂの印字色を入替前の画像形成装置１２０ａの印字色及び読取特性と同一にする調整値を算出し、画像形成装置１２０ｂの調整が必要な旨を示す判定結果及び調整値を携帯端末１２２に送信し、ステップＳ１７０６で処理が終了する。
【０１６９】
ステップＳ１７０２で印刷対象画像の印刷物の撮影画像及び原稿の撮影画像の画素値の差が所定の閾値よりも大きい場合は、ステップＳ１７０５に処理が分岐する。ステップＳ１７０５では、判定部３０３は、画像形成装置１２０ａ，１２０ｂの判定が不可能である旨を示す結果を携帯端末１２２に送信し、ステップＳ１７０６で処理が終了する。
【０１７０】
これまで本実施形態につき説明してきたが、本発明は、上述した実施形態に限定されるものではなく、本実施形態の構成要素を変更若しくは削除し、又は本実施形態の構成要素に他の構成要素を追加するなど、当業者が想到することができる範囲内で変更することができる。いずれの態様においても、本発明の作用効果を奏する限り、本発明の範囲に含まれるものである。
【符号の説明】
【０１７１】
１００…画像処理システム、１１０…ネットワーク、１２０ａ，１２０ｂ…画像形成装置、１２２…携帯端末、１３０…ネットワーク、１４０…サーバ
【先行技術文献】
【特許文献】
【０１７２】
【特許文献１】特許第４４９７５３９号公報
【特許文献２】特開２００７−０８１８５１
【図１】
2015176517.tif 000003
【図２】
2015176517.tif 000004
【図３】
2015176517.tif 000005
【図４】
2015176517.tif 000006
【図５】
2015176517.tif 000007
【図６】
2015176517.tif 000008
【図７】
2015176517.tif 000009
【図８】
2015176517.tif 000010
【図９】
2015176517.tif 000011
【図１０】
2015176517.tif 000012
【図１１】
2015176517.tif 000013
【図１２】
2015176517.tif 000014
【図１３】
2015176517.tif 000015
【図１４】
2015176517.tif 000016
【図１５】
2015176517.tif 000017
【図１６】
2015176517.tif 000018
【図１７】
2015176517.tif 000019